(57)【要約】【課題】取り扱いが容易で、短時間の作業で内壁の破損部を補修することができ、かつ、補修部を外観良く仕上げることができる内壁補修具、内壁補修キット及び内壁補修方法を提供すること。【解決手段】  建築物の内壁面４０に固着される板材２０と、板材２０よりも剛性が低いメッシュ状シート３０であって、板材２０を覆うように内壁面４０に固着されるメッシュ状シート３０と、内壁面４０に固着された内装材に切り込みを入れるとともに、内装材を内壁面から除去するカッターと、内壁面と板材とに再固着される内装材の表面を均すヘラと、を備える。【選択図】 図１
2014122523.tif 000002
【特許請求の範囲】
【請求項１】
建築物の内壁面に固着される板材と、
前記板材よりも剛性が低いメッシュ状シートであって、前記板材を覆うように前記内壁面に固着されるメッシュ状シートと、
を備えることを特徴とする内壁補修具。
【請求項２】
請求項１記載の内壁補修具であって、前記板材は、複数の穿孔を有する金属薄板からなることを特徴とする内壁補修具。
【請求項３】
建築物の内壁面に固着される板材と、
前記板材よりも剛性が低いメッシュ状シートであって、前記板材を覆うように前記内壁面に固着されるメッシュ状シートと、
前記内壁面に固着された内装材に切り込みを入れるとともに、前記内装材を前記内壁面から除去するカッターと、
前記内壁面と前記板材とに再固着される前記内装材の表面を均すヘラと、
を備えることを特徴とする内壁補修キット。
【請求項４】
請求項３記載の内壁補修キットであって、カッターは、把持部と前記把持部から延びる刃部とを有し、前記把持部と前記刃部とは平面視において直線状に配置され、側面視において前記把持部の中心軸線と前記刃部の中心軸線とは所定の角度で交わることを特徴とする内壁補修キット。
【請求項５】
建築物の内壁面に板材を固着し、
前記板材よりも面積が大きいメッシュ状シートを前記板材の上から内壁面に固着することを特徴とする内壁補修方法。
【請求項６】
請求項５記載の内壁補修方法であって、前記板材を固着する前に、前記板材よりも大きい面積で、建築物の内壁面上に固着された内装材を除去し、前記内装材を除去した前記内壁面上に前記板材を固着することを特徴とする内壁補修方法。
【請求項７】
請求項６記載の内壁補修方法であって、前記板材と前記メッシュ状シートと前記内壁面との上から、前記除去した内装材を再固着することを特徴とする内壁補修方法。
【請求項８】
請求項７記載の内壁補修方法であって、前記内装材は破損部を有し、前記破損部上に前記破損部を覆う破損部補修シートを固着することを特徴とする内壁補修方法。
【請求項９】
請求項８に記載の内壁補修方法であって、前記破損部補修シートの表面は、前記内装材の表面と外観上略同じものであることを特徴とする内壁補修方法。
【請求項１０】
請求項８に記載の内壁補修方法であって、前記破損部補修シートは、前記内装材の一部を切りとって形成されたものであることを特徴とする内壁補修方法。
【発明の詳細な説明】
【技術分野】
【０００１】
本発明は、建築物の室内の壁や天井等の内壁に生じた穴や亀裂等の破損部を補修するための内壁補修具、内壁補修キット及び内壁補修方法に関するものである。
【背景技術】
【０００２】
建築物の室内の壁や天井等の内壁は、木材や石膏ボード等からなる内壁面の表面に壁紙や塗装等の内装材が施されたものである。内壁に衝撃が加えられた場合、内壁に穴や亀裂等の破損部が生じることがある。従来は、このような破損部を補修する方法として、特許文献１に記載のような補修用パテを破損部に埋める方法が一般的に知られていた。
【先行技術文献】
【特許文献】
【０００３】
【特許文献１】実開平６−８３８６２号公報
【発明の開示】
【発明が解決しようとする課題】
【０００４】
しかしながら、従来の補修用パテを用いて面積の大きい破損部を補修する場合には、内壁面と補修用パテからなる面とを面一にする熟練を要する作業を必要し、かつ、長時間を要する。また、従来の補修用パテを用いる方法は、補修部に補修用パテが露出した状態となるため、外観が良くなかった。
【０００５】
従って、取り扱いが容易で、短時間の作業で内壁の破損部を補修することができ、かつ、補修部を外観良く仕上げることができる内壁補修具、内壁補修キット及び内壁補修方法が必要とされている。
【課題を解決するための手段】
【０００６】
本発明の実施形態に係る内壁補修具は、建築物の内壁面に固着される板材と、板材よりも剛性が低いメッシュ状シートであって、板材を覆うように内壁面に固着されるメッシュ状シートと、を備えることを特徴とする。
【発明の効果】
【０００７】
本発明によれば、取り扱いが容易で、短時間の作業で内壁の破損部を補修することができ、かつ、内壁の補修部を外観良く仕上げることができる。また、内壁の破損部及びその近傍のみを補修することができるため、内壁全体を補修するよりも格段にコストと作業時間を低減することができる。
【０００８】
本発明の実施形態に係る内壁補修具は、上記内壁補修具において、板材が、複数の穿孔を有する金属薄板からなることを特徴とするものでもよい。
【０００９】
本発明の実施形態に係る内壁補修キットは、建築物の内壁面に固着される板材と、板材よりも剛性が低いメッシュ状シートであって、板材を覆うように内壁面に固着されるメッシュ状シートと、内壁面に固着された内装材に切り込みを入れるとともに、内装材を内壁面から除去するカッターと、内壁面と板材とに再固着される内装材の表面を均すヘラと、を備えることを特徴とする。
【００１０】
本発明の実施形態に係る内壁補修キットは、上記内壁補修キットにおいて、カッターは、把持部と把持部から延びる刃部とを有し、把持部と刃部とは平面視において直線状に配置され、側面視において把持部の軸線と刃部の軸線とは所定の角度で交わることを特徴とするものでもよい。
【００１１】
本発明の実施形態に係る内壁補修方法は、建築物の内壁面に板材を固着し、板材よりも面積が大きいメッシュ状シートを板材の上から内壁面に固着することを特徴とする。
【００１２】
本発明の実施形態に係る内壁補修方法は、上記内壁補修方法において、板材を固着する前に、板材よりも大きい面積で、建築物の内壁面上に固着された内装材を除去し、内装材を除去した内壁面上に板材を固着することを特徴とするものでもよい。
【００１３】
本発明の実施形態に係る内壁補修方法は、上記内壁補修方法において、板材とメッシュ状シートと内壁面との上から、除去した内装材を再固着することを特徴とするものでもよい。
【００１４】
本発明の実施形態に係る内壁補修方法は、上記内壁補修方法において、内装材は破損部を有し、破損部上に破損部を覆う破損部補修シートを固着することを特徴とするものでもよい。
【００１５】
本発明の実施形態に係る内壁補修方法は、上記内壁補修方法において、破損部補修シートの表面は、内装材の表面と外観上略同じものであることを特徴とするものであってもよい。
【００１６】
本発明の実施形態に係る内壁補修方法は、上記内壁補修方法において、破損部補修シートは、内装材の一部を切りとって形成されたものであることを特徴とするものであってもよい。
【図面の簡単な説明】
【００１７】
【図１】本発明の第１の実施形態の内壁補修具を説明するものであり、破損した内壁面を内壁補修具で補修した構成を示す正面図である。
【図２】本発明の第２の実施形態としての内壁補修具を示す正面図である。
【図３】本発明の第３の実施形態の内壁補修キットの一構成であるカッターを示す正面図である。
【図４】本発明の第３の実施形態の内壁補修キットの一構成であるヘラを示す正面図である。
【図５】本発明の第４の実施形態の内壁補修方法を順次示す正面図である。
【図６】本発明の第４の実施形態の内壁補修方法を順次示す正面図である。
【図７】本発明の第４の実施形態の内壁補修方法を順次示す正面図である。
【図８】本発明の第４の実施形態の内壁補修方法を順次示す正面図である。
【図９】本発明の第４の実施形態の内壁補修方法を順次示す正面図である。
【図１０】本発明の第４の実施形態の内壁補修方法を順次示す正面図である。
【図１１】本発明の第４の実施形態の内壁補修方法を順次示す正面図である。
【発明を実施するための形態】
【００１８】
本発明は、破損部を有する内壁を補修するものである。内壁は、内壁面４０と内壁面上に装飾のために施された内装材５０とを備える。内壁面４０は、木材、石膏ボード、コンクリート等の平面からなる。内装材５０は、壁紙、塗装材等の平面的な部材からなる。内壁面４０は、内装材５０よりも剛性が高い。言い換えれば、内装材５０は、内壁面４０よりも可撓性が高い。内壁に破損部が形成されると、この内壁面４０及び内装材５０の両方に破損部が形成される。内壁面４０及び内装材５０の破損部は、凹状溝、貫通穴、切り込み等、いずれの形態でもよい。本発明は、特に、内壁面４０及び内装材５０の破損部の面積が比較的大きい場合の補修に有効である。
【００１９】
（第１の実施形態）
図１に示すとおり、本発明の第１の実施形態に係る内壁補修具は、板材２０とメッシュ状シート３０とを備える。板材２０及びメッシュ状シート３０は、内装材５０を除去した状態の内壁面４０に適用される。内壁補修具は、破損部を有する内壁面４０に板材２０とメッシュ状シート３０とを順次貼り付けることで、内壁面４０の破損部を補修する。板材２０とメッシュ状シート３０とは、内壁面４０に対して、できるだけ面一になるように、薄く平面状に形成される。好ましくは、板材２０とメッシュ状シート３０とは、その形状を破損部の大きさに適合できるように、ハサミやカッターで容易に切断可能な０．１から０．３ｍｍ程度の厚みであることが望ましい。板材２０は、内壁面４０の破損部と同じ面積又はそれよりも大きい面積で設けられる。メッシュ状シート３０は、板材２０よりも面積が大きく形成される。また、メッシュ状シート３０は、板材２０よりも厚みが小さく形成されてもよい。内壁補修材の断面において、板材２０のみであると、その側縁部と内壁面４０との間に急激な段差が生じ、外観上望ましくないが、メッシュ状シート３０を板材２０の上から貼り付けることで、この段差が緩和されて施工後の外観が良くなる。また、板材２０は平滑面であり、内壁面４０に対して突状に設けられることになるが、メッシュ状シート３０があるため、接着剤や固着用の樹脂等がメッシュに入り込むことで、内装材５０の内装補修具上及び内装補修具と内壁面４０の段差部へのそれらの接着性や固着性を高くすることができる。
【００２０】
板材２０は、内壁面４０と同等若しくはそれよりも高い剛性を有することが好ましく、金属、樹脂、ガラスファイバー等から形成することができる。樹脂には、アクリル系樹脂等を用いることができる。板材２０は、施工後の外観を良くするために、円形形状又は楕円形状にしてもよいし、図１に示す如く、矩形形状にしてもよく、この場合、角を落として角部のみ湾曲形状としてもよい。また、板材２０の周縁を鋸歯状にしてもよい。板材２０は、表面に穿孔や凹凸を有さない平面薄板であってもよい。板材２０の一表面には接着層が設けられても良く、これにより、内壁面４０に対する固定がさらに容易になる。接着層は板材２０の全面に設けられても良いし、外周のみに設けられても良い。接着層の材質は特に限定されないが、エポキシ系樹脂、シリコーン系樹脂、ウレタン系樹脂、アクリル系樹脂、ラテックス系樹脂や熱硬化性又は紫外線硬化性の樹脂等を用いることができる。接着層には更に非接着性の剥離可能シートが含まれても良く、剥離可能シートを除去することで、接着層を露出できるようにしてもよい。板材２０は、接着層を予め有していなくともよく、内壁面４０に貼り付ける際に板材２０の全表面又は外周のみに接着層を塗布してもよいし、板材２０を釘やステープラのような固定具で内壁面４０に固定されてもよい。
【００２１】
メッシュ状シート３０は、複数の縦糸と横糸とを交差させて配置し、交差部を接続したシートである。メッシュ状シート３０は、板材２０よりも剛性が低い、つまり、可撓性が高い材料からなるほうが好ましく、樹脂、ガラスファイバー、金属等から形成することができる。ガラスファイバーメッシュは、強度等の点から特に好ましい。網目は、１．０から３．０ｍｍ程度で形成されてもよい。メッシュ状シート３０は、板材２０上から内壁面４０に貼り付ける。メッシュ状シート３０は、施工後の外観を良くするために、円形形状又は楕円形状にしてもよいし、図１に示す如く、矩形形状にしてもよい。メッシュ状シート３０は、板材２０の形状と相似形であってもよい。
【００２２】
メッシュ状シート３０の縁部は、縁部を構成するメッシュ状のシートの複数の縦糸及び横糸の各端部が離間配置された状態であってもよい。すなわち、メッシュ状シート３０の縁部において、縦糸端部は横糸によって固着されておらず、横糸端部は縦糸によって固着されていない状態であってもよい。これにより、内壁補修具と内壁面４０との段差をより緩和し、固着性を向上することができ、外観を良くすることができる。
【００２３】
メッシュ状シート３０は、その一表面に設けられた接着層を更に有しても良い。接着層が予め設けられていると、内壁面４０及び板材２０に対する固定がさらに容易になる。接着層はメッシュ状シート３０の全面に設けられても良いし、外周のみに設けられても良い。接着層には更に非接着性の剥離可能シートが含まれても良く、剥離可能シートを除去することで、接着層を接着できるようにしてもよい。接着層の材質は特に限定されないが、エポキシ系樹脂、シリコーン系樹脂、ウレタン系樹脂、アクリル系樹脂、ラテックス系樹脂や熱硬化性又は紫外線硬化性の樹脂等を用いることができる。メッシュ状シート３０は、接着層を予め有していなくともよく、内壁面４０に貼り付ける際にメッシュ状シート３０の全表面又は外周のみに接着層を塗布してもよい。
【００２４】
（第２の実施形態）
図２に記載のとおり、本発明の第２の実施形態に係る内壁補修具は、板材として穿孔２０１を有する板材２００を用いるものである。薄板の材質は、金属や樹脂等からなるものであってもよい。板材２００の周縁は、鋸歯状縁２０２としてもよい。これにより、穿孔２０１を有する板材２００は、接着剤や固着用の樹脂が穿孔２０１や鋸歯状縁２０２の間に入り込むことで、内壁面、メッシュ状シート、及び／又は内装材に対する板材２００の接着性や固着性を高くすることができる。本発明の第２の実施形態に係る内壁補修具は、第１の実施形態に係る内壁補修具とこれらの構成においてのみ異なり、これらの構成以外に関しては、第１の実施形態において開示された構成がそのまま適用される。すなわち、第１の実施形態における板材２０は第２の実施形態における板材２００に対応しており、第２の実施形態は第１の実施形態とは、板材２００と板材２０との形状のみにおいて異なり、それ以外の構成は第１の実施形態と第２の実施形態とは同じである。
【００２５】
（第３の実施形態）
本発明の第３の実施形態に係る内壁補修キットは、第１の実施形態又は第２の実施形態に開示された内壁補修具と、更に、内装材を内壁面から除去するためのカッターと、内壁を均すためのヘラと、を備えるものである。図３に示すように、カッター６０は、全体として細長形状であり、その長手方向における中心軸Ａに沿って、把持部６２と刃部６１とが並んで配されたものである。刃部６１は、把持部６２の端部に固着されており、中心軸Ａと略平行な側縁に刃が形成されている。刃部６１の先端は、刃を有さない湾曲形状となっていてもよい。樹脂などで形成された把持部６２の厚みは、薄い金属などで形成された刃部６１よりも厚い。把持部６２は、その表面に複数の中心軸Ａに直行する複数の直線突状部からなる滑り止め部を含んでいても良い。中心軸Ａを通る断面において、把持部６２を通る中心軸と、刃部６１を通る中心軸とは、所定の角度で交差していてもよい。すなわち、刃部６１は、把持部６２に対して傾斜して配置されている。これにより、刃部６１を内壁面４０と内装材５０との間に平行に移動でき、既存の内装材５０の表面にできるだけ傷をつけずに内装材５０を内壁面４０から除去可能であるため、除去された内装材５０を再利用することが可能となる。
【００２６】
図４に示すように、ヘラ７０は、全体として細長形状であり、その長手方向における中心軸Ｂに沿って、把持部７２と先端部７１とが並んで配されている。先端部７１は、把持部７２の端部に固着されており、先端部７１は、把持部７２に対する遠位端が先鋭で、遠位端から近位方向に向かって幅広になる形状である。施工後の内壁表面を均すために、ヘラ７０の先端部７１の少なくとも一方の表面は平面状に形成される。中心軸Ｂを通る断面において、把持部７２を通る中心軸と、先端部７１を通る中心軸とは、所定の角度で交差していてもよい。すなわち、先端部７１は、把持部７２に対して傾斜して配置されている。これにより、先端部７１を内壁の表面に対して平行に移動しやすく、内壁の表面を均しやすい。カッター６０とヘラ７０とは、長手方向に略同じ長さであってもよい。本発明の第３の実施形態に係る内壁補修キットは、第１の実施形態又は第２の実施形態に係る内壁補修具に更にカッター６０とヘラ７０とを備えた構成であるから、カッター６０及びヘラ７０以外の構成については第１の実施形態又は第２の実施形態において開示された構成が第３の実施形態にそのまま適用される。
【００２７】
（第４の実施形態）
本発明の第４の実施形態に係る内壁補修方法には、第１の実施形態若しくは第２の実施形態に開示された内壁補修具又は第３の実施形態の内壁補修キットを用いることができる。図５から図１１は、本発明の第４の実施形態に係る内壁補修方法を説明するものである。
【００２８】
図５及び６に示すように、内壁は内装材５０００と内壁面４０００とを有し、内装材５０００は破損部５００３を有し、内壁面４０００は破損部４００３を有する。破損部５００３及び４００３は、凹状溝、貫通穴、切り込み等、いずれの形態でもよい。図６のように、図５の内装材５０００にカッター６０００を用いて切り込みを形成する。内装材５０００は、切り込みの切取縁５００２が破損部５００３を略囲むように切り取られる。図６においては、切取縁５００２が円孤状に形成されたものを示すが、切取縁５００２の形状は特に限定されず、円形状若しくは矩形形状に形成されても良い。この切り取りの際には、カッター６０００の刃部６００１の平面が、内装材５０００と内壁面４０００との間を、内装材５０００及び／又は内壁面４０００の表面と略平行に移動して、内装材５０００を削ぐように切り取ることが好ましい。また、内装材５０００の内壁面４０００側の面と反対側の表面に、切断縁５００２以外の傷をつけないように、内装材５０００を切り取ることが好ましい。
【００２９】
図７のように、内装材５０００の破損部５００３を含む部分５００１が捲られて、内壁面４０００から除去され、破損部４００３を含む内壁面４０００が露出される。図７には、破損部５００３を含む部分５００１が、内壁に少なくとも一部が繋がった状態が開示されているが、これに限定されず、内装材５０００の破損部５００３を含む部分５００１は内壁面５０００から完全に分離除去されてもよい。破損部４００３を含む内壁面４０００には、内装材５０００の一部又は内装材５０００を内壁面４０００に固着していた接着材等が残っている場合があるため、この内壁面４０００をヤスリ等で研磨して平滑化してもよい。
【００３０】
次に、図８に示すように、破損部４００３を含む内壁面４０００に、破損部４００３を覆うように板材２０００を固着する。板材２０００の表面には、最表面の非接着性の剥離可能シートを除去するタイプの接着層が全面又は外周に沿って予め設けられていて良いし、内壁面４０００に固着する前に接着剤を塗ることによって接着層を設けても良い。板材２０００の接着層が設けられた表面を内壁面４０００側に向けて、板材２０００を破損部４００３に位置合わせして内壁面４０００に貼り付ける。板材２０００を張り付けた後、板材２０００を内壁面４０００に向かって押圧することで、板材２０００と内壁面４０００との段差をできるだけ小さくしてもよい。図６において、板材２０００を接着により固着する場合を示したが、本発明の実施形態はそれに限定されず、釘やステープラ等の固定具によって固着されてもよい。
【００３１】
図９に示すように、板材２０００の上から、板材２０００を内壁面４０００に固着するようにメッシュ状シート３０００を固着する。メッシュ状シート３０００の表面には、最表面の非接着性の剥離可能シートを除去するタイプの接着層が全面又は外周に沿って予め設けられていて良いし、内壁面４０００に固着する前に接着剤を塗ることによって接着層を設けても良い。メッシュ状シート３０００の接着層が設けられた表面を内壁面４０００側に向けて、板材２０００を覆うようにメッシュ状シート３０００を内壁面４０００に貼り付けて固着する。
【００３２】
図１０に示すように、板材２０００及びメッシュ状シート３０００によって補修された内壁面４０００上に、内装材５０００の破損部５００３を有する部分５００１を戻して再固着する。この際、板材２０００及びメッシュ状シート３０００によって補修された内壁面４０００上に接着剤を全面的又は部分的に塗布してから、内装材５０００の破損部５００３を有する部分５００１を内壁面４０００に接着してもよいし、内装材５０００の破損部５００３を有する部分５００１に接着剤を全面的又は部分的に塗布してから、内装材５０００の破損部５００３を有する部分５００１を内壁面４０００に接着してもよい。
【００３３】
次に、図１１に示すように、内装材５０００の破損部５００３を覆うように、破損部補修シート８０００を内装材５０００に固着する。破損部補修シート８０００は、破損部５００３と同じ面積、または、それよりも大きい面積を有する。この際、破損部５００３による内装材５０００の段差や破損部５００３の面積が大きければ、この段差や破損部５００３を埋めるように、破損部５００３内にコーキング剤を埋め込むことができる。コーキング剤には、アクリル系樹脂、変成シリコーン系樹脂等を用いることができる。
【００３４】
破損部補修シート８０００の内装材５０００及び／又はコーキング剤への固着方法としては、破損部補修シート８０００の一表面に接着剤を全面的又は部分的に塗布してから、内装材５０００及び／又はコーキング剤に破損部補修シート８０００を固着してもよいし、破損部５００３近傍の内装材５０００及び／又はコーキング剤に接着剤を塗布してから、内装材５０００及び／又はコーキング剤に破損部補修シート８０００を固着してもよい。破損部補修シート８０００は、内装材５０００の破損部５００３の面積よりも大きい面積で設けられ、形状は限定されないが、略円形状又は略楕円状に設けられることが好ましい。
【００３５】
また、破損部補修シート８０００の一表面は、できるだけ内装材５０００の内壁面４０００に固着される面とは逆の表面と外観が近似していることが好ましい。従って、破損部補修シート８０００は、破損部５００３が形成されていない内装材５０００の一部、例えばコンセントの内側や家具の裏側に位置する内装材５０００の一部を、カッター６０００等で削ぐことで形成してもよい。内装材５０００の表面と破損部補修シート８０００の表面には、凹凸状や平面状の模様が付されていてもよく、破損部補修シート８０００の模様と内装材５０００の模様とが合うようにして、破損部補修シート８０００を内装材５０００及び／又はコーキング剤に固着することが外観上好ましい。
【００３６】
破損部補修シート８０００を内装材５０００及び／又はコーキング剤に固着した後に、ヘラ７０００の先端部平面を用いて、破損部補修シート８０００とその周辺の内装材５０００を均すことで、補修部を平坦化して、外観形状を整える。
【００３７】
本発明の第４の実施形態に係る内壁補修方法は、第１の実施形態若しくは第２の実施形態に係る内壁補修具又は第３の実施形態に係る内壁補修キットを用いることができるから、第１の実施形態、第２の実施形態及び／又は第３の実施形態において開示された構成は、第４の実施形態においてそのまま適用される。
【００３８】
以上、本発明の好適な実施形態を説明したが、本発明は図示された実施形態に限定されず、様々な変更、追加、削除を施して、多様な他の形態に変形されることができるものである。例えば、上述した実施形態では、破損部５００３を覆うように破損部補修シート８０００を接着したが、破損部補修シート８０００に代えて、破損部５００３を覆うように破損部補修材を内装材５０００及び／又はコーキング剤上から塗布又はスプレーすることで補修部を形成してもよい。
【符号の説明】
【００３９】
２０…板材、３０…メッシュ状シート、４０…内壁面、５０…内装材
５１…破損部を有する部分、５２…切取縁、５３…破損部
２００…板材、２０１…穿孔、２０２…鋸歯状縁
３００…メッシュ状ガラスファイバーシート、６０…カッター、６１…刃部
６２…把持部、Ａ…中心軸線、７０…ヘラ、７１…先端部、７２…把持部
Ｂ…中心軸線、２０００…板材、３０００…メッシュ状シート
４０００…内壁面、４００３…破損部、５０００…内装材
５００１…破損部を有する部分、５００２…切取縁
５００３…破損部、６０００…カッター、６００１…刃部、６００２…把持部
７０００…ヘラ、８０００…破損部補修シート
【図１】
2014122523.tif 000003
【図２】
2014122523.tif 000004
【図３】
2014122523.tif 000005
【図４】
2014122523.tif 000006
【図５】
2014122523.tif 000007
【図６】
2014122523.tif 000008
【図７】
2014122523.tif 000009
【図８】
2014122523.tif 000010
【図９】
2014122523.tif 000011
【図１０】
2014122523.tif 000012
【図１１】
2014122523.tif 000013